(57)【特許請求の範囲】
【請求項１】
床面に載置される間仕切り手段の一面に横方向に移動可能で、第一位置で前記間仕切り手段に収容され、第二位置で前記間仕切り手段から横方向に突出する引き戸を取り付け、
前記間仕切り手段の上面に横方向のランナーを設け、前記引き戸の上端部に、前記ランナーに係止してランナーに沿って移動自在となる係止金具を取り付け、
前記係止金具を、縦のランナー取付け板に水平支持板を連設して、該水平支持板の下面を前記引き戸の上面に固定可能とすると共に、前記水平支持板の下面に前記引き戸の上端部側面に固定する固定板を設けて構成し
たことを特徴とする引き戸付き間仕切り。
【請求項２】
床面に載置される間仕切り手段の一面に横方向に移動可能で、第一位置で前記間仕切り手段に収容され、第二位置で前記間仕切り手段から横方向に突出する引き戸を取り付け、
前記間仕切り手段の頂板の上面から周囲に高さＨ１の立ち上げ部を形成し、
前記間仕切り手段の頂板の上面上で、前記立ち上げ部内に、横方向のランナーを設け、前記引き戸の上端部に、前記ランナーに係止してランナーに沿って移動自在となる係止金具を取り付けたことを特徴とする引き戸付き間仕切り。
【発明の詳細な説明】
【０００１】
【発明の属する技術分野】
この発明は、居住空間を仕切ることが可能な引き戸付き間仕切りに関する。
【０００２】
【従来の技術】
従来マンション等の集合住宅では、居住空間を仕切る場合、床面と天井面との間に、ボード類で間仕切り壁を立てて、仕切っていた。この場合、間仕切り壁に開口部を形成する場合には、予め開口部を形成し、開き戸、引き戸等を設けた間仕切り壁を使用していた。
【０００３】
【発明が解決しようとする課題】
前記従来の技術では、間仕切り壁は床と天井との間に堅固に支持されていたので、取付け、取り外し等が煩雑であり、間仕切り区画の変更が困難であった。また、間仕切りとして、家具を使用する場合もあったが、単に家具を置くだけであり、他の工夫は無かった。
【０００４】
【課題を解決するための手段】
然るにこの発明では、家具などの間仕切り手段に、横方向に移動可能の引き戸を取り付けたので、前記問題点を解決した。
【０００５】
即ちこの発明は、床面に載置される間仕切り手段の一面に横方向に移動可能で、第一位置で前記間仕切り手段に収容され、第二位置で前記間仕切り手段から横方向に突出する引き戸を取り付け、前記間仕切り手段の上面に横方向のランナーを設け、前記引き戸の上端部に、前記ランナーに係止してランナーに沿って移動自在となる係止金具を取り付け、前記係止金具を、縦のランナー取付け板に水平支持板を連設して、該水平支持板の下面を前記引き戸の上面に固定可能とすると共に、前記水平支持板の下面に前記引き戸の上端部側面に固定する固定板を設けて構成したことを特徴とする引き戸付き間仕切りである。
【０００６】
また、他の発明は、床面に載置される間仕切り手段の一面に横方向に移動可能で、第一位置で前記間仕切り手段に収容され、第二位置で前記間仕切り手段から横方向に突出する引き戸を取り付け、前記間仕切り手段の頂板の上面から周囲に高さＨ１の立ち上げ部を形成し、前記間仕切り手段の頂板の上面上で、前記立ち上げ部内に、横方向のランナーを設け、前記引き戸の上端部に、前記ランナーに係止してランナーに沿って移動自在となる係止金具を取り付けたことを特徴とする引き戸付き間仕切りである。
【０００８】
前記における間仕切り手段とは、室内空間を仕切ることができる部材をいい、主に収納家具をいうが、他の部材とすることもできる。
【０００９】
【発明の実施の形態】
この発明の引き戸付き間仕切りは、一般的には、収納家具１の収納物を出し入れする開閉扉１５を設けた面（正面）の対向側の面（背面）に引き戸４５を設けて、通路７６を閉鎖する（図８（ａ））。また、他の例では、開閉扉１５を設けた面の隣接する面（側面）に引き戸４５を設けることもできる（図８（ｂ））。更に、背面と側面の両方に引き戸４５を設けることもできる（図８（ｃ））。
【００１０】
また、家具１を２つ組み合わせて、引き戸４５、４５で、１つで通路７６を閉鎖することもできる（図８（ｄ））。
【００１１】
また、家具は長方形などの矩形以外に、例えば平面Ｌ字状の家具１を使用することもできる（図８（ｅ））。
【００１２】
【実施例１】
図面に基づきこの発明の実施例を説明する。
【００１３】
［１］引き戸付き家具の構成
【００１４】
（１）  この発明の家具１は、正面板２、正面板２と対向する背面板４及び両側面板６、８で四周を囲い、頂板１１及び底板１３で上下を塞いで構成し、正面板２に収容物を出し入れする開口を形成し、開き扉１５、１５を取り付けてある（図１）。また、底板１３の下面四隅にキャスター５８、５８を取り付けると共に、アジャスタベース５９、５９に取り付けて、アジャスタベース５９にストッパー兼用のアジャスターボルト６０を夫々螺合してある（図３）。アジャスターボルト６０は、回転することにより昇降でき、その下面６１を、キャスター５８の接地面６２を挟んで上下に位置させることができる。
【００１５】
正面板２、背面板４、両側面板６、８の上縁は、頂板１１の上面１２から高さＨ１だけ立ち上げて、夫々立ち上げ部３、５、７、９を形成してある。背面板４の内面で、立ち上げ部５に、立ち上げ板５の横方向ほぼ全長に亘るランナー取付け板１６を固定する。ランナー固定板１６の下面１７ａは頂板１１の上面１２に当接し、ランナー固定板１６の上面１７は背面板４の上面５ａよりＨ２だけ低く形成してある（図３）。
【００１６】
（２）  使用するランナー１８は、所定長さＬの長い外枠１９と、戸板受け金具３０のランナー受け板３１に対応した短い内枠２２との間にボールベアリング２５を介装して構成する。外枠１９は、基板２０の両縁に立ち上げ板２１、２１を連設してなり、立ち上げ板２１の内面は、ボールベアリング２５が回転できるように凹面が形成され、凹面にボールベアリング２５、２５を嵌挿して形成する。ボールベアリング２５、２５は、外枠１９のほぼ全長に亘り、所定間隔毎に規則正しく並列されている（図３）。１本の外枠１９に対して２つの内枠２２、２２を取付ける（図２）。
【００１７】
また、内枠２２は、基板２３の両縁に立ち上げ板２４、２４を連設してなり、立ち上げ板２４の外面は、ボールベアリング２５、２５を回転できるように凹面を形成する。外枠１９の立ち上げ板２１の内側に、内枠２２の立ち上げ板２４が対向するように配置し、立ち上げ板１９の外面と立ち上げ板２４の内面との間に多数のボールベアリングが介装されるように、取付ける。また、内枠２２の基板２３の外面にランナー固定板２６を固定する。また、ランナー固定板２６は、戸板受け金具３０のランナー受け板３１内に収まるような形状・大きさで形成する（図３）。
【００１８】
また、外枠１９の端部の立ち上げ板２１、２１間に、内枠２２の抜け防止用の緩衝材（ゴム）２７を夫々嵌挿固定してある（図２）。
【００１９】
（３）  戸板取付け金具３０は、縦方向のランナー受板３１の上縁に水平支持板３３を連設して、断面逆Ｌ字状に形成されている。水平支持板３３の下面３４で、両側縁３５、３５に、引き戸４５の裏面４５ａに当接する固定板３７を下方に向けて突設し、固定板３７の下端部をランナー受板３１と反対側に屈曲して下係止片３９を形成する。固定板３７上部を横方向に屈曲して上係止片３８を形成し、水平支持板３３の切欠き３６を上方に貫通して、上係止片３８を水平支持板３３の上面に固定してある。また、水平支持板３３の端縁３４ａに沿って、引き戸４５と固定する為のビス孔４０、４０を並列して穿設する。
【００２０】
２つの戸板取付け金具３０、３０を使用し、一方の戸板取付け金具３０の水平支持板３３の下面３４に、水平の軸４２を有するローラー４１を取付ける。ローラー４１の上端が水平支持板３３に当たらないように、水平支持板３３に小開口４３を形成してある。尚、実施例では、ローラー４１として、一般的な引き戸用の戸車を使用した。
【００２１】
（４）  使用する引き戸４５は、家具１の背面板４に重ねて収容できるような形状・大きさで形成し、縦横の桟材４８、４８の外面に表面板４９、４９を張り合わせてなり、桟材４８、４８の間４８ａ、４８ａにロールコアを充填して形成する。
【００２２】
引き戸４５の上面４６及び下面４７に、上部ガイド溝５０、下部ガイド溝５１を夫々形成する。上部ガイド溝５０、下部ガイド溝５１は、引出側の側縁５４から引き出す長さに応じて形成する。上部ガイド溝５０、下部ガイド溝５１は、引き戸の抜けを防止する為に、引出側の側縁５４から若干内側位置から形成されている（図４（ａ））。
【００２３】
また、戸板取付け金具３０の位置に合わせて、引き戸４５の上面４６に凹部（戸板取付け金具３０の水平支持板３３に対応する）５２、５２を形成し、裏面４５ａの上部に取付溝（固定板３７の下係止片３９に対応する）５３を形成する。凹部５２、５２は、引き戸４５の残留側（引出側と反対他側）の側縁５４ａ側に形成する。
【００２４】
（５）  ランナー１８のランナー固定板２６の外面と戸板取付け金具３０のランナー受板３１の内面とを合わせて、両部材２６、３１をボルトとナットとで固定する。
【００２５】
戸板取付け金具３０を固定したランナー１８を、家具１の頂板１１上のランナー固定板２６の側面に沿って配置し、ランナー１８の外枠１９の基板２０をランナー固定板２６にビス類６４、６４で固定する。
【００２６】
引き戸４５の上面４６の凹部５２、５２を、戸板取付け金具３０、３０の水平支持板３３の下面３４に当接すると共に、戸板取付け金具３０の下係止片３９を引き戸４５の取付溝５３に嵌挿係止する。続いて、戸板取付け金具３０の水平支持板３３のビス孔４０、４０からビス５６を打ち込み、戸板取付け金具３０と引き戸４５とを固定する。
【００２７】
家具１の下面（背面板４の下面）に、下ガイド突板６６を固定して、下ガイド突板６６の上面に、横軸６８の廻りに回転するローラー（ガイド突起）６７を取り付け、ローラー６７を、引き戸４５の下部ガイド溝５１に挿入する。
【００２８】
また、家具１の上面（背面板４の上面５ａ）に、上ガイド突板６９を固定して、上ガイド突板６９の下面のガイド突起７０を引き戸４５の上部ガイド溝５０に挿入する（図４（ａ）（ｂ））。ガイド突起７０は、上ガイド突板６９の先端側を下方に屈曲して構成する。
【００２９】
以上のようにして、引き戸付き家具７２を構成する（図１）。
【００３０】
［２］引き戸付き家具７２の使用
【００３１】
アジャスターボルト６０を回転させて上昇させ、キャスター５８を接地させ、引き戸付き家具７２を所定間仕切り位置に移動する。続いて、アジャスターボルト６０をキャスター５８の接地面６２（床面７８）より下げ、家具１が水平を保つように微調節する（図３参照）。この際、複数の家具１、１を、引き戸付き家具７２に並べて置くこともできる（図１鎖線図示１）。
【００３２】
載置された引き戸付き家具７２は、家具１により室内空間を仕切る間仕切りとして使用すると共に、通常の家具１として使用できる。この状態で、引き戸４５は家具１の裏面（背面板４）に重なり収容されている（図１（ａ）（ｂ）実線図示４５）。従って、家具１の正面側からは引き戸４５は見えない。また、この際、引き戸４５は、上部ガイド溝５０の側縁５４側に上ガイド突板６９が位置するように配置される（図４（ａ））。
【００３３】
また、引き戸４５を矢示７４方向に引けば、引き戸４５の一側（側縁５４側）を家具１の側面板６側から突出させて、壁７７に側縁５４が当接し、通路７６を遮断することができる（図１（ｃ）、（ａ）（ｂ）鎖線図示４５）。また、この際、引き戸４５は、上部ガイド溝５０の側縁５４ａ側に、上ガイド突板６９が位置するように配置される（図４（ｂ））。
【００３４】
また、室内の配置換えの際には、引き戸付き家具７２のアジャスターボルト６０を回して上昇させ、キャスター５８、５８の接地面６２（床面７８）より上に上昇させれば、キャスター５８、５８を使用して、簡単に引き戸付き家具７２を移動でき、配置換えが容易である。
【００３５】
［３］他の実施例
【００３６】
前記実施例において、引き戸付き家具７２の転倒防止用に、家具１の上面（頂板１１又は立ち上がり部３、５、７、９）に、昇降して天井に離接可能となる転倒防止板７５、７５を取り付けることもできる（図１鎖線図示７５）。
【００３７】
また、前記実施例において、引き戸付き家具７２の移動を規制するストッパーと高さ調節の機能を合わせ持つアジャスターボルトを使用したが、ストッパーと高さ調節の機能を別々の部材で発揮させることもできる（図示していない）。
【００３８】
【発明の効果】
この発明は、間仕切り手段に収納又は突出位置をとることができる引き戸を設けたので、引き戸用の建具を別途用いることなく、間仕切り間の空間を塞ぐことができる効果がある。また、引き戸用の建具を不要とするので、空間を広く使用することができる。
【００３９】
また、間仕切り手段を箱状の収納家具とすれば、載置するだけで引き戸を接地できる効果があり、家具などに合わせた空間を構成することができる。
【００４０】
また、収納家具の底にキャスターとストッパーを設ければ、収納家具の移動と移動の規制が容易にでき、間仕切りの作業や模様替えが簡単にできる効果がある。
【００４１】
また、収納家具の上端部にランナーを設ければ、ランナーが見え難い効果がある。更に、水平支持板と縦のランナー取付板とを使用すれば、引き戸を確実にランナーに保持し、滑らかな引き戸の移動が実現できる。
【図面の簡単な説明】
【図１】この発明の引き戸付き家具で、（ａ）は平面図、（ｂ）は正面図、（ｃ）は背面図、（ｄ）は右側面図を夫々表す。
【図２】図１（ａ）のＡ−Ａ線における一部拡大断面図である。
【図３】図１（ａ）のＢ−Ｂ線における一部拡大断面図である。
【図４】（ａ）は、図１（ｂ）のＣ−Ｃ線における一部を破切した一部拡大断面図で、引き戸を閉じた状態で、（ｂ）は同じくランナー部分のみの一部拡大断面図で、引き戸を閉じた状態を表す。
【図５】この発明の実施に使用する引き戸で、（ａ）は平面図、（ｂ）は一部を破折した正面図、（ｃ）は底面図である。
【図６】（ａ）は、図５（ａ）のＤ−Ｄ線における拡大断面図、（ｂ）は図５（ａ）のＥ−Ｅおける一部拡大断面図である。
【図７】この発明の実施に使用するランナー取付け金具（係止金具）で、（ａ）は側面図、（ｂ）は正面図、（ｃ）は平面図である。
【図８】（ａ）〜（ｅ）は、この発明の引き戸付き間仕切りの概念を表す概略した平面図である。
【符号の説明】
１    家具
２    正面板
３    正面板の立ち上がり部
４    背面板
５    背面板の立ち上がり部
６    側面板
７    側面板の立ち上がり部
８    側面板
９    側面板の立ち上がり部
１１  頂板
１２  頂板の上面
１３  底板
１４  底板の下面
１６  ランナー取付板
１８  ランナー
１９  外枠（ランナー）
２２  内枠（ランナー）
２５  ボールベアリング（ランナー）
２６  ランナー固定板
２７  緩衝材
３０  戸板取付け金具（係止金具）
３１  ランナー受板（戸板取付け金具）
３３  水平支持板（戸板取付け金具）
３７  固定板（戸板取付け金具）
４０  ビス孔（戸板取付け金具）
４１  ローラー（戸板取付け金具）
４５  引き戸
４６  引き戸の上面
４７  引き戸の下面
５０  上部ガイド溝
５１  下部ガイド溝
５３  取付溝
５４  引出側の側縁
５８  キャスター
６０  アジャスターボルト
６６  下ガイド突板
６９  上ガイド突板
７２  引き戸付き家具（引き戸付き間仕切り）
７６  通路
【図１】
0004586202.tif 000002
【図２】
0004586202.tif 000003
【図３】
0004586202.tif 000004
【図４】
0004586202.tif 000005
【図５】
0004586202.tif 000006
【図６】
0004586202.tif 000007
【図７】
0004586202.tif 000008
【図８】
0004586202.tif 000009